(57)【要約】【解決課題】映し出される画像にぶれが生じにくいとともに所定強度を有し、更にその製作効率のよい光ファイバ型ディスプレイ装置のスクリーンパネルを提供することにある。【解決手段】光ファイバ型ディスプレイ装置の画像表示用スクリーンパネルであって、該スクリーンパネルは所定厚さの帯状の光ファイバ位置決め保持要素を複数段積層して形成される前記スクリーンパネルにおいて、前記光ファイバ位置決め保持要素は前記積層の各段においてスクリーンパネルの幅方向に複数個が連続かつ隣接して配設され、任意の段の前記光ファイバ位置決め保持要素どうしの隣接位置と、これに隣り合う段の前記光ファイバ位置決め保持要素の隣接位置とがスクリーンパネルの幅方向に食い違っているスクリーンパネル。【選択図】　　　　　　　図２
2004013052.tif 000002
【特許請求の範囲】
【請求項１】
光ファイバ型ディスプレイ装置（１０）の画像表示用スクリーンパネル（２０）であって、該スクリーンパネル（２０）は所定厚さの帯状の光ファイバ位置決め保持要素（３０）を複数段積層して形成される前記スクリーンパネル（２０）において、
前記光ファイバ位置決め保持要素（３０−１〜３０−６）は前記積層の各段においてスクリーンパネル（２０）の幅方向に複数個が連続かつ隣接して配設され、
任意の段の前記光ファイバ位置決め保持要素どうしの隣接位置（３０Ｘ）と、これに隣り合う段の前記光ファイバ位置決め保持要素の隣接位置（３０Ｙ）とがスクリーンパネル（２０）の幅方向に食い違っていることを特徴とする前記スクリーンパネル。
【請求項２】
請求項１記載のスクリーンパネルにおいて、
前記光ファイバ位置決め保持要素（３０）は、光ファイバ（４０）の位置決め及び保持用の複数の光ファイバ収納部（３１）を有し、
前記光ファイバ収納部（３１）内に前記光ファイバ（４０）が保持されることを特徴とする前記スクリーンパネル。
【請求項３】
請求項２記載のスクリーンパネルにおいて、
前記光ファイバ位置決め保持要素（３０Ａ）は、前記光ファイバ収納部（３１）内に収納された光ファイバ（４０）を保持するための光ファイバ保持部（４１、４２）を該光ファイバ収納部（３１）の少なくとも両端部に有し、少なくとも前記スクリーンパネル（２０）前面側の該光ファイバ保持部（４１）は該スクリーンパネル（２０）前面から前方へ突出しており、
複数段の光ファイバ位置決め保持要素（３０Ａ）の組み付け後に、該光ファイバ保持部（４１）の突出した部分が切除されることを特徴とする前記スクリーンパネル。
【請求項４】
請求項１乃至３の何れか１項に記載の記載のスクリーンパネルにおいて、
前記スクリーンパネル（２０）は、上下左右の辺を有する略矩形であって、その高さ方向及び幅方向に夫々所定ピッチ（ｔ、ｐ１）で設けられた光ファイバ（４０）の位置決め及び保持用の複数の光ファイバ収納部（３１）を有し、
前記スクリーンパネル（２０）は、スクリーンパネル・モジュール（２０Ａ〜２０Ｃ）であって、複数の該スクリーンパネル・モジュール（２０Ａ〜２０Ｃ）が高さ方向及び幅方向へ隣接して配設された場合に、
第１の前記スクリーンパネル・モジュール（２０）において前記上辺又は下辺に最も近い第１の前記光ファイバ収納部（３１）と、前記第１のスクリーンパネル・モジュール（２０）に対して高さ方向へ隣接する第２の該スクリーンパネル・モジュール（２０Ｂ）の前記光ファイバ収納部（３１）のうち、前記第１の光ファイバ収納部（３１）に最も近く隣り合う第２の光ファイバ収納部（３１）との距離が、前記光ファイバ収納部（３１）の高さ方向の所定ピッチ（ｔ）と略等しく、
前記第１のスクリーンパネル・モジュール（２０）において前記左辺又は右辺に最も近い第４の前記光ファイバ収納部（３１）と、該第１のスクリーンパネル・モジュールに対して幅方向へ隣接する第３の該スクリーンパネル・モジュール（２０Ｃ）の前記光ファイバ収納部（３１）のうち、前記第４の光ファイバ収納部（３１）に最も近く隣り合う第３の光ファイバ収納部（３１）との距離が、前記光ファイバ収納部（３１）の幅方向の所定ピッチ（ｐ１）と略等しいことを特徴とする前記スクリーンパネル。
【請求項５】
光ファイバ型ディスプレイ装置（１０）の画像表示用スクリーンパネル（２０）において、
前記スクリーンパネル（２０）は、上下左右の辺を有する略矩形であって、その高さ方向及び幅方向に夫々所定ピッチ（ｔ、ｐ１）で設けられた光ファイバ（４０）の位置決め及び保持用の複数の光ファイバ収納部（３１）を有し、
前記スクリーンパネル（２０）は、スクリーンパネル・モジュール（２０Ａ〜２０Ｃ）であって、複数の該スクリーンパネル・モジュール（２０Ａ〜２０Ｃ）が高さ方向及び幅方向へ隣接して配設された場合に、
第１の前記スクリーンパネル・モジュール（２０）において前記上辺又は下辺に最も近い第１の前記光ファイバ収納部（３１）と、前記第１のスクリーンパネル・モジュール（２０）に対して高さ方向へ隣接する第２の該スクリーンパネル・モジュール（２０Ｂ）の前記光ファイバ収納部（３１）のうち、前記第１の光ファイバ収納部（３１）に最も近く隣り合う第２の光ファイバ収納部（３１）との距離が、前記光ファイバ収納部（３１）の高さ方向の所定ピッチ（ｔ）と略等しく、
前記第１のスクリーンパネル・モジュール（２０）において前記左辺又は右辺に最も近い第４の前記光ファイバ収納部（３１）と、該第１のスクリーンパネル・モジュールに対して幅方向へ隣接する第３の該スクリーンパネル・モジュール（２０Ｃ）の前記光ファイバ収納部（３１）のうち、前記第４の光ファイバ収納部（３１）に最も近く隣り合う第３の光ファイバ収納部（３１）との距離が、前記光ファイバ収納部（３１）の幅方向の所定ピッチ（ｐ１）と略等しいことを特徴とする前記スクリーンパネル。
【請求項６】
請求項４又は５に記載のスクリーンパネルにおいて、
前記第１のスクリーンパネル・モジュール（２０）において左辺又は右辺に最も近い第４の光ファイバ収納部（３１）は、該辺に対して前記幅方向の所定ピッチ（ｐ１）の略２分の１だけ離間した位置に配設されることを特徴とする前記スクリーンパネル。
【請求項７】
複数段積層されることにより、光ファイバ型ディスプレイ装置（１０）の画像表示用スクリーンパネル（２０）を形成する所定厚さ（ｔ）の帯状の光ファイバ位置決め保持要素（３０）において、
前記光ファイバ位置決め保持要素（３０）は、光ファイバ（４０）の位置決め及び保持用の複数の光ファイバ収納部（３１）と、該光ファイバ収納部（３１）内に収納された光ファイバ（４０）を保持する少なくとも１つの光ファイバ保持部（４１、４２、４３）とを具備することを特徴とする光ファイバ位置決め保持要素。
【請求項８】
請求項７記載の光ファイバ位置決め保持要素において、
前記光ファイバ収納部（３１）は、前記光ファイバ位置決め保持要素（３０）の上面及び下面の少なくとも一方に設けられた溝（３１）であり、該溝（３１）内に前記光ファイバ（４０）が保持されることを特徴とする光ファイバ位置決め保持要素。
【請求項９】
請求項７又は８に記載の光ファイバ位置決め保持要素において、
前記光ファイバ保持部（４１、４２、４３）は、前記光ファイバ収納部（３１）に収納された前記光ファイバ（４０）を、前記光ファイバ位置決め保持要素（３０Ａ、３０Ｂ）の厚さ方向から保持する部分（４１ｂ、４２ｂ、４３ｂ）を有することを特徴とする光ファイバ位置決め保持要素。
【請求項１０】
請求項７乃至９の何れか１項に記載の光ファイバ位置決め保持要素において、
前記光ファイバ保持部（４１、４２）は、前記光ファイバ収納部（３１）に収納された前記光ファイバ（４０）を、前記光ファイバ位置決め保持要素（３０Ａ）の幅方向から保持する部分（４１ａ、４２ａ）を有することを特徴とする光ファイバ位置決め保持要素。
【請求項１１】
請求項１０記載の光ファイバ位置決め保持要素において、
前記光ファイバ位置決め保持要素（３０Ａ）が有する前記光ファイバ保持部（４１、４２）は複数であり、前記幅方向から保持する部分（４１ａ、４２ａ）は夫々、前記光ファイバ収納部（３１）を挟んで、反対側の位置に配設されることを特徴とする光ファイバ位置決め保持要素。
【請求項１２】
請求項７乃至１１の何れか１項に記載の光ファイバ位置決め保持要素において、
前記光ファイバ位置決め保持要素（３０Ａ）が有する前記光ファイバ保持部（４１、４２）は複数であり、該光ファイバ保持部（４１、４２）は、前記光ファイバ収納部（３１）の少なくとも両端部に形成され、
前記スクリーンパネル（２０）前面側の前記光ファイバ保持部（４１）は、該スクリーンパネル（２０）の前面から前方へ突出しており、複数段の該光ファイバ位置決め保持要素（３０Ａ）の組み付け後に、該光ファイバ保持部（４１、４２）の突出した部分が切除されることを特徴とする光ファイバ位置決め保持要素。
【請求項１３】
請求項７乃至１１の何れか１項に記載の光ファイバ位置決め保持要素において、
前記光ファイバ位置決め保持要素（３０Ａ）が有する前記光ファイバ保持部（４１、４２）は複数であり、該光ファイバ保持部（４１、４２）は、前記光ファイバ収納部（３１）の少なくとも両端部に形成され、
少なくとも前記スクリーンパネル（２０）前面側の該光ファイバ保持部（４３）は、該スクリーンパネル（２０）の前面から前方へ突出しておらず、該突出部分を切除されないことを特徴とする光ファイバ位置決め保持要素。
【請求項１４】
請求項７乃至１３の何れか１項に記載の光ファイバ位置決め保持要素において、
前記光ファイバ位置決め保持要素（３０）は、その上部に第１の係合部（３４ａ〜ｄ）を有するとともに、その下部に第２の係合部（３７ａ〜ｄ）を有し、
前記光ファイバ位置決め保持要素（３０）が複数段積層した場合に、前記第１の係合部（３４ａ〜ｄ）と、前記第２の係合部（３７ａ〜ｄ）とが順次係合することを特徴とする光ファイバ位置決め保持要素。
【請求項１５】
請求項１４記載の光ファイバ位置決め保持要素において、
前記光ファイバ保持部（４３）は、前記第１の係合部（３４ａ〜ｄ）又は前記第２の係合部（３７ａ〜ｄ）であることを特徴とする光ファイバ位置決め保持要素。
【請求項１６】
請求項７乃至１５の何れか１項に記載の光ファイバ位置決め保持要素において、
前記光ファイバ位置決め保持要素（３０）は、射出成形により形成されることを特徴とする光ファイバ位置決め保持要素。
【請求項１７】
光ファイバ型ディスプレイ装置（１０）における画像表示用スクリーンパネル（２０）の形成方法であって、所定厚さ（ｔ）の帯状の光ファイバ位置決め保持要素（３０Ａ）を複数段積層してスクリーンパネル（２０）を形成する前記スクリーンパネル（２０）の形成方法において、
前記光ファイバ位置決め保持要素（３０Ａ）に対して、光ファイバ（４０）の位置決め及び保持用の複数の光ファイバ収納部（３１）を設けるとともに、該光ファイバ収納部（３１）内に収納された光ファイバ（４０）を保持するための光ファイバ保持部（４１）を、前記スクリーンパネル（２０）の少なくとも前面側にその前面から前方へ突出すべく設けるステップと、
前記光ファイバ位置決め保持要素（３０−１〜３０−６）を前記積層の一の段においてスクリーンパネル（２０）の幅方向に複数個が連続かつ隣接して配設する一のステップと、
前記一の段に隣り合う他の段において、前記一の段の前記光ファイバ位置決め保持要素どうしの隣接位置（３０Ｘ、３０Ｙ）と該他の段の前記光ファイバ位置決め保持要素どうしの隣接位置（３０Ｙ、３０Ｘ）とがスクリーンパネル（２０）の幅方向に食い違うように前記光ファイバ位置決め保持要素（３０−１〜３０−６）を配設する他のステップと、
所望の大きさのスクリーンパネル（２０）を形成するまで前記一のステップと前記他のステップとを繰り返すステップと、
前記光ファイバ保持部（４１）のうち、前記スクリーンパネル（２０）の突出した部分を切除するステップと、を具備することを特徴とする前記スクリーンパネルの形成方法。
【発明の詳細な説明】
【０００１】
【産業上の利用分野】
本発明は、多数の光ファイバを使用してディスプレイに映像を表示させる光ファイバ型ディスプレイのスクリーンパネルに関し、特に所定厚さの光ファイバ位置決め保持要素を所定方法により複数段積層して形成されるスクリーンパネルに関する。
【０００２】
【従来の技術】
一般に、大型の画像表示用のディスプレイ装置の一例として、光ファイバ型ディスプレイ装置がある。この装置は、大略、プロジェクタ、光ファイバ集束部、スクリーンパネル、並びに集束部及びスクリーンパネルを結ぶ多数の光ファイバから構成される。光ファイバは、光ファイバ集束部とスクリーンパネルとの間に懸け渡される。光ファイバは、光ファイバ集束部において、その一の端部である入力端部が複数段×複数列のマトリックス状に配設され、スクリーンパネルにおいて、その入力端部と反対側の出力端部が光ファイバ集束部のマトリックスにおける入力端部の配列位置と対応する位置に位置決めされてマトリックス状に配設される。
【０００３】
ビデオプレーヤ装置からの映像信号はプロジェクタに送られ、プロジェクタからの画像は光ファイバ集束部に投射される。光ファイバ集束部へ投射された画像は、この光ファイバ集束部とスクリーンパネルとの間に懸け渡され、スクリーンパネルの多数の光ファイバを介してスクリーンパネルに導入されて、スクリーンパネルの前面側の光ファイバ出力端部において発光して所望の画像を表示する。
【０００４】
従来、光ファイバ型ディスプレイ装置のスクリーンパネルは、１枚のアクリル板等からなる板状部材から構成される。この板状部材には、一般にレーザー加工により、光ファイバを位置決め保持する貫通孔がマトリックス状に設けられる。貫通孔を設ける方法として、ドリル加工等の他の方法が考えられるが、１００インチの大型ディスプレイの場合は、例えば１８万７５００ヶ所の貫通孔を設ける必要があり、スクリーンパネルの製造コストが上昇するという問題があるため、レーザー加工を使用するのが一般的である。
【０００５】
しかし、１枚のアクリル板に対してレーザー加工により貫通孔を設けることによりスクリーンパネルを製作すると、以下の問題点がある。
第１に、レーザー加工のコストは、ドリル加工のコストよりも相対的には低いが、そのコスト自体は未だ低減の余地がある。
【０００６】
第２に、スクリーンパネルの製作にあたっては、光ファイバを貫通孔に挿入保持する必要がある。しかし、スクリーンパネル前面はすべての光ファイバをスクリーンパネルの貫通孔に挿入後研磨する必要があるため、接着剤はスクリーンパネルの後面にしか塗布できない。したがって、貫通孔に光ファイバを挿入した後、接着剤により光ファイバがアクリル板に対して固着するまでの間に光ファイバが貫通孔から抜けることがあり、作業効率が悪い。また、斯かる接着が不十分となり易く、その場合には経年効果により容易に光ファイバがその貫通孔から抜ける。
【０００７】
第３に、スクリーンパネルの製作過程においては、光ファイバ集束部における光ファイバの入力端部の配列位置とスクリーンパネルにおける光ファイバの出力端部の配列位置とが整合しているか適宜確認する必要があるが、スクリーンパネルの材料として１枚のアクリル板を使用する場合は、アクリル板自体の寸法が大きいため、作業効率を考慮すると、スクリーンパネルの前面側にその配列確認をする人員を配置する必要があり、スクリーンパネルの製作コストが上昇し得る。
【０００８】
第４に、レーザー加工により設けられた貫通孔は一般的に、スクリーンパネルの前後面に対して直交すべく設けられるが、一般的にスクリーンパネルの面のうちレーザー照射側面近傍の貫通孔の直径は、その反対側の面の貫通孔の直径よりは大きい。そうすると、光ファイバがその貫通孔に挿入された場合、光ファイバは上記直径の相違に起因して、スクリーンパネルに対する挿入角度が一定とならない場合がある。この場合には、スクリーンパネルに表示された画像にかげりが生じることとなる。
【０００９】
上記問題点を解決すべく、図１に示す従来の方法として、光ファイバを保持するための光ファイバ収納部を有する所定厚さの光ファイバ位置決め保持要素を複数段積層させてスクリーンパネルを形成するものがある。
【００１０】
図１中、光ファイバ型ディスプレイ装置１は、大略、光ファイバ位置決め保持要素３を従来の積層方式により積層して形成したスクリーンパネル２、光ファイバ集束部６及びプロジェクタ７からなる。
【００１１】
従来の積層方式は、図１に示す如く、ブロック状の光ファイバ位置決め保持要素３に対して光ファイバ４を光ファイバ収納部３ａに収納した後、略等しい寸法の光ファイバ位置決め保持要素３のその端部を揃えて、所望高さに達するまで所定段積層して一の列を形成する方式である。
【００１２】
ここで、光ファイバ位置決め保持要素３がスクリーンパネル２の幅と同じ長さを有し、前記一の列のみで所望のスクリーンパネル２を形成する方法も考えられる。しかし、これによれば、スクリーンパネル２の幅は一般的に長いため光ファイバ位置決め保持要素が撓み、光ファイバ位置決め保持要素の略中央部において光ファイバ収納部３ａの位置が下がるため、スクリーンパネル２に映し出される映像がぶれるという問題点がある。一方、光ファイバ位置決め保持要素の撓みを防止するために光ファイバ位置決め保持要素の厚さ（即ち高さ）を厚くすると、光ファイバ収納部の高さ方向ピッチが大きくなり、スクリーンパネル２に映し出される映像が粗くなるという問題点がある。更に、一の列のみで所望のスクリーンパネル２を形成する方法は、該一の列の幅方向長さが比較的大きいため複数の列を順次所定段まで積層する作業が難しく、スクリーンパネル２の製作効率が悪いという問題点がある。
【００１３】
したがって、一般的に、スクリーンパネル２は、図１に示す如く、光ファイバ位置決め保持要素３が、スクリーンパネル２の幅方向に複数の列に分割された複数列としてあたかも碁盤の目状の複数列及び複数段（以下、「正段積み」という）として配設し組み付けられる。
【００１４】
【発明が解決しようとする課題】
しかしながら、このような正段積みの場合には、同じ段の左右隣り合う光ファイバ位置決め保持要素３は、接着剤等により固着されているのみであるため、光ファイバ型ディスプレイ装置の製作工程において、隣り合うブロック状光ファイバ位置決め保持要素３のブロックどうしが互いに高さ方向にズレを生じ、これにより光ファイバ４どうしの高さ位置にズレを生じ易く、又その製作工程においてズレが生じなくとも経年効果によりその後ズレが生じる場合がある。この光ファイバ４どうしの高さ位置のズレがスクリーンパネル２に生じている場合には、スクリーンパネル２に表示される画像にぶれが生じる問題点がある。
【００１５】
また、このような正段積みの場合には、スクリーンパネル２において左右隣り合う複数の光ファイバ位置決め保持要素３の列間の接合強度は単に接着剤による接着強度にのみ依存していたので接着剤の経年劣化に伴い、スクリーンパネル２自体の接合強度が弱くなるという問題点がある。
【００１６】
他方、既存の例えば１００インチのスクリーンパネルを１つのモジュールとして、複数のモジュールを組み合わせて、更に大型の例えば３００インチのスクリーンパネルを製作することが可能となれば、このような大型のスクリーンパネルの製作コストを低減し得る。
【００１７】
しかし、スクリーンパネル・モジュールを複数組み合わせて大型スクリーンパネルを製作するには次の問題点がある。
左右方向に隣り合うモジュールにまたがる１対の光ファイバ収納部間のピッチｐ１は、各モジュールでは、光ファイバ収納部と隣接面との距離がその半分のｐ１／２（具体的には２ｍｍ）と比較的小さくなる。レーザー加工によりこの貫通孔を設けることは、上記ｐ１／２の距離が小さいために、レーザーの熱により矩形モジュールの所定面即ち左右両辺部分が融け出すため困難が伴う。なお、ドリル加工により斯かる貫通孔を設けることは、上述の如くスクリーンパネルの製造コストが上昇する問題を伴う。
【００１８】
【課題を解決するための手段】
上記問題点を解決するための本発明の光ファイバ型ディスプレイ装置の画像表示用スクリーンパネルは、複数段積層して前記スクリーンパネルを形成する所定厚さの帯状の光ファイバ位置決め保持要素が、前記光ファイバ位置決め保持要素は前記積層の各段においてスクリーンパネルの幅方向に複数個が連続かつ隣接して配設され、任意の段の前記光ファイバ位置決め保持要素どうしの隣接位置と、これに隣り合う段の前記光ファイバ位置決め保持要素の隣接位置とがスクリーンパネルの幅方向に食い違っていることを特徴とする。
【００１９】
好ましくは、前記光ファイバ位置決め保持要素は、光ファイバの位置決め及び保持用の複数の光ファイバ収納部を有し、前記光ファイバ収納部内に前記光ファイバが保持される。
【００２０】
好ましくは、前記光ファイバ位置決め保持要素は、前記光ファイバ収納部内に収納された光ファイバを保持するための光ファイバ保持部を該光ファイバ収納部の少なくとも両端部に有し、少なくとも前記スクリーンパネル前面側の該光ファイバ保持部は該スクリーンパネル前面から前方へ突出しており、複数段の光ファイバ位置決め保持要素の組み付け後に、該光ファイバ保持部の突出した部分が切除される。
【００２１】
好ましくは、前記スクリーンパネルは、上下左右の辺を有する略矩形であって、その高さ方向及び幅方向に夫々所定ピッチで設けられた光ファイバの位置決め及び保持用の複数の光ファイバ収納部を有し、前記スクリーンパネルは、スクリーンパネル・モジュールであって、複数の該スクリーンパネル・モジュールが高さ方向及び幅方向へ隣接して配設された場合に、第１の前記スクリーンパネル・モジュールにおいて前記上辺又は下辺に最も近い第１の前記光ファイバ収納部と、前記第１のスクリーンパネル・モジュールに対して高さ方向へ隣接する第２の該スクリーンパネル・モジュールの前記光ファイバ収納部のうち、前記第１の光ファイバ収納部に最も近く隣り合う第２の光ファイバ収納部との距離が、前記光ファイバ収納部の高さ方向の所定ピッチと略等しく、前記第１のスクリーンパネル・モジュールにおいて前記左辺又は右辺に最も近い第４の前記光ファイバ収納部と、該第１のスクリーンパネル・モジュールに対して幅方向へ隣接する第３の該スクリーンパネル・モジュールの前記光ファイバ収納部のうち、前記第４の光ファイバ収納部に最も近く隣り合う第３の光ファイバ収納部との距離が、前記光ファイバ収納部の幅方向の所定ピッチと略等しい。
【００２２】
上記問題点を解決するための本発明の光ファイバ型ディスプレイ装置の画像表示用スクリーンパネルは、上下左右の辺を有する略矩形であって、その高さ方向及び幅方向に夫々所定ピッチで設けられた光ファイバの位置決め及び保持用の複数の光ファイバ収納部を有し、前記スクリーンパネルは、スクリーンパネル・モジュールであって、複数の該スクリーンパネル・モジュールが高さ方向及び幅方向へ隣接して配設された場合に、第１の前記スクリーンパネル・モジュールにおいて前記上辺又は下辺に最も近い第１の前記光ファイバ収納部と、前記第１のスクリーンパネル・モジュールに対して高さ方向へ隣接する第２の該スクリーンパネル・モジュールの前記光ファイバ収納部のうち、前記第１の光ファイバ収納部に最も近く隣り合う第２の光ファイバ収納部との距離が、前記光ファイバ収納部の高さ方向の所定ピッチと略等しく、前記第１のスクリーンパネル・モジュールにおいて前記左辺又は右辺に最も近い第４の前記光ファイバ収納部と、該第１のスクリーンパネル・モジュールに対して幅方向へ隣接する第３の該スクリーンパネル・モジュールの前記光ファイバ収納部のうち、前記第４の光ファイバ収納部に最も近く隣り合う第３の光ファイバ収納部との距離が、前記光ファイバ収納部の幅方向の所定ピッチと略等しいことを特徴とする。
【００２３】
好ましくは、前記第１のスクリーンパネル・モジュールにおいて左辺又は右辺に最も近い第４の光ファイバ収納部は、該辺に対して前記幅方向の所定ピッチの略２分の１だけ離間した位置に配設される。
【００２４】
上記問題点を解決するための本発明の前記スクリーンパネルを形成する光ファイバ位置決め保持要素は、複数段積層されることにより前記スクリーンパネルを形成する所定厚さの帯状の光ファイバ位置決め保持要素であって、前記光ファイバ位置決め保持要素は、光ファイバの位置決め及び保持用の複数の光ファイバ収納部と、該光ファイバ収納部内に収納された光ファイバを保持する少なくとも１つの光ファイバ保持部とを具備することを特徴とする。
【００２５】
好ましくは、前記光ファイバ収納部は、前記光ファイバ位置決め保持要素の上面及び下面の少なくとも一方に設けられた溝であり、該溝内に前記光ファイバが保持される。
【００２６】
好ましくは、前記光ファイバ保持部は、前記光ファイバ収納部に収納された前記光ファイバを、前記光ファイバ位置決め保持要素の厚さ方向から保持する部分を有する。
【００２７】
好ましくは、前記光ファイバ保持部は、前記光ファイバ収納部に収納された前記光ファイバを、前記光ファイバ位置決め保持要素の幅方向から保持する部分を有する。
【００２８】
好ましくは、前記光ファイバ位置決め保持要素が有する前記光ファイバ保持部は複数であり、前記幅方向から保持する部分は夫々、前記光ファイバ収納部を挟んで、反対側の位置に配設される。
【００２９】
好ましくは、前記光ファイバ位置決め保持要素が有する前記光ファイバ保持部は複数であり、該光ファイバ保持部は、前記光ファイバ収納部の少なくとも両端部に形成され、前記スクリーンパネル前面側の前記光ファイバ保持部は、該スクリーンパネルの前面から前方へ突出しており、複数段の該光ファイバ位置決め保持要素の組み付け後に、該光ファイバ保持部の突出した部分が切除される。
【００３０】
好ましくは、前記光ファイバ位置決め保持要素が有する前記光ファイバ保持部は複数であり、該光ファイバ保持部は、前記光ファイバ収納部の少なくとも両端部に形成され、少なくとも前記スクリーンパネル前面側の該光ファイバ保持部は、該スクリーンパネルの前面から前方へ突出しておらず、該突出部分を切除されない。
【００３１】
好ましくは、前記光ファイバ位置決め保持要素は、その上部に第１の係合部を有するとともに、その下部に第２の係合部を有し、前記光ファイバ位置決め保持要素が複数段積層した場合に、前記第１の係合部と、前記第２の係合部とが順次係合する。
【００３２】
好ましくは、前記光ファイバ保持部は、前記第１の係合部又は前記第２の係合部であることを特徴とする光ファイバ位置決め保持要素。
好ましくは、前記光ファイバ位置決め保持要素は、射出成形により形成される。
【００３３】
上記問題点を解決するための本発明の光ファイバ型ディスプレイ装置における画像表示用スクリーンパネルの形成方法は、前記光ファイバ位置決め保持要素に対して、光ファイバの位置決め及び保持用の複数の光ファイバ収納部を設けるとともに、該光ファイバ収納部内に収納された光ファイバを保持するための光ファイバ保持部を、前記スクリーンパネルの少なくとも前面側にその前面から前方へ突出すべく設けるステップと、前記光ファイバ位置決め保持要素を前記積層の一の段においてスクリーンパネルの幅方向に複数個が連続かつ隣接して配設する一のステップと、前記一の段に隣り合う他の段において、前記一の段の前記光ファイバ位置決め保持要素どうしの隣接位置と該他の段の前記光ファイバ位置決め保持要素どうしの隣接位置とがスクリーンパネルの幅方向に食い違うように前記光ファイバ位置決め保持要素を配設する他のステップと、所望の大きさのスクリーンパネルを形成するまで前記一のステップと前記他のステップとを繰り返すステップと、前記光ファイバ保持部のうち、前記スクリーンパネルの突出した部分を切除するステップと、を具備することを特徴とする。
【００３４】
【発明の実施の形態】
図２は、本発明に係る光ファイバ型ディスプレイ装置の画像表示用スクリーンパネルの一実施例の斜視図、図３乃至図５は前記スクリーンパネルを形成する所定厚さｔの帯状の光ファイバ位置決め保持要素を示す。
【００３５】
図２中、光ファイバ型ディスプレイ装置１０は、画像表示用スクリーンパネル２０、光ファイバ４０、フレーム５０、光ファイバ集束部６０及びプロジェクタ７０を具備する。
【００３６】
スクリーンパネル２０は、樹脂等よりなる光ファイバ位置決め保持要素３０が複数段積層することにより形成され、フレーム５０に取り付けられる。フレーム５０内にある光ファイバ集束部６０においてその一の端部を束ねられた光ファイバ４０は、その他の端部がスクリーンパネル２０上に複数段×複数列のマトリックス状に配設される。光ファイバ４０は、光ファイバ位置決め保持要素３０に設けられた光ファイバ収納部３１（図３乃至４参照）内に収納され位置決め保持される。なお、図２乃至９中、説明の容易のため、光ファイバ位置決め保持要素３０及びスクリーンパネル２０の寸法はその各部の縮尺を適宜変更してある。実際は、例えば、光ファイバ位置決め保持要素３０の幅、奥行き、高さは夫々、２０８ｍｍ、１５ｍｍ、４ｍｍであり、スクリーンパネル２０の幅、奥行き、高さは夫々、２０００ｍｍ、１５ｍｍ、１５００ｍｍである。
【００３７】
パネル保持部材５１は、フレーム５０に設けられるものであって、ねじ留め部５１ａ及び垂直保持部５１ｂを有する。スクリーンパネル２０は、ねじ留め部５１ａ及び垂直保持部５１ｂに当接され位置決めされた後、ねじ留め部５１ａに対してねじ留めされることにより、パネル保持部５１に対して取り付け保持される。ここで、垂直保持部５１ｂは、スクリーンパネル２０の取り付け位置決めをするのに特に有用であるが、パネル保持部材５１は垂直保持部５１ｂを有さなくともよい。
【００３８】
ビデオプレーヤ装置（図示せず）からの映像信号はプロジェクタ７０に送られ、プロジェクタ７０からの画像は光ファイバ集束部６０に投射される。光ファイバ集束部６０へ投射された画像は、この光ファイバ集束部６０とスクリーンパネル２０との間に懸け渡された複数段及び複数列の多数の光ファイバ４０を介してスクリーンパネル２０に導入されて、スクリーンパネル２０の前面側の光ファイバ出力端部において発光して所望の画像を表示する。
【００３９】
図３中、光ファイバ位置決め保持要素３０（以下、適宜単に「要素３０」という）は、所定厚さｔを有する帯状部材であり、複数段積層されることにより、スクリーンパネル２０を形成する。好ましくは、要素３０は、射出成形されるが、射出成形されなくともよい。
【００４０】
光ファイバ収納部３１は、要素３０の上面に所定ピッチｐ１で設けられた溝である。要素３０の幅方向端部に最も近い光ファイバ収納部３１と要素３０の端部との距離ｐ２は、所定ピッチｐ１の２分の１であることが好ましい。又、要素３０の所定ピッチｐ１と要素３０の所定厚さｔは略等しいことが好ましい。なお、光ファイバ収納部３１は、溝以外の例えば貫通孔等でもよく、又要素３０の上面でなく下面、若しくは上面及び下面に設けられてもよい。
【００４１】
図４に示す如く、光ファイバ収納部３１には、光ファイバ４０が収納されて位置決め保持される。光ファイバ４０は、光ファイバ収納部３１に対して、接着剤により固着されることが好ましいが、これに限らず例えば、光ファイバ収納部３１とその要素３０の上から積層する他の要素３０との間に挟み込まれるようにしてもよい。
【００４２】
光ファイバ位置決め保持要素３０は、図３に示す如く、各複数のボス穴３４及びねじ穴３５、３６、並びに複数のボス３７を有する。要素３０が複数段積層される場合、図５に示す如く、ボス穴３４（３４ａ〜３４ｄ）は、ボス３７（３７ａ〜３７ｄ）に嵌合し、又ねじ穴３５、３６（３５ａ〜３５ｆ、３６ａ〜３６ｆ）にねじ３８を螺合挿入されることにより、上下段の各要素３０は互いに位置決め保持される。又斯かる積層の際には、図３に示す如く、一の要素３０は、その接着面３２に接着剤が塗布され、その上から積層する他の要素３０の底部に対して接着される。ここで、余分な接着剤は、のりにげ３３（３３ａ、３３ｂ）に流れ込む。なお、上記のりにげ３３はなくともよい。なお、要素３０は、ボス穴３４（３４ａ〜３４ｄ）、ボス３７（３７ａ〜３７ｄ）、ねじ穴３５、３６（３５ａ〜３５ｆ、３６ａ〜３６ｆ）を有さず、斯かる接着のみにより要素３０は互いに位置決め保持されてもよい。
【００４３】
次に図６に、光ファイバ位置決め保持要素３０の第１の変形例について説明する。
図６中、光ファイバ位置決め保持要素３０Ａは、各光ファイバ収納部３１の両端部において、光ファイバ４０を保持する光ファイバ収納部の両側に互いに略点対称位置に配設した一対の同一形状の凸状の光ファイバ保持部４１、４２を有する。なお、光ファイバ保持部４１、４２は、光ファイバ収納部３１の両端部に設けるに限らず、例えば、光ファイバ収納部３１の片端部のみに設けられたり、又光ファイバ収納部３１の略中央部に設けられてもよい。好ましくは、光ファイバ保持部４１、４２は、要素３０Ａとともに、射出成形により一体成形されるが、一体成形されなくともよい。
【００４４】
光ファイバ保持部４１、４２は夫々、底板部４１ａ、４２ａ及び水平板部４１ｂ、４２ｂを有するＬ字形である。なお、この光ファイバ保持部４１、４２は、光ファイバ収納部３１に対して同じ側に設けられてもよい。光ファイバ保持部４１、４２の水平板部４１ｂ、４２ｂが、光ファイバ４０をその上方より押さえて保持するとともに、底板部４１ａ、４２ａが光ファイバ収納部と共同して光ファイバ４０をその両側方から挟み込むように支持する。
【００４５】
これにより、光ファイバ４０の遊動が防止されるため、光ファイバ型ディスプレイ装置１０の製作工程において要素３０Ａを順次積層する際に、例えば作業員の手により光ファイバ４０を光ファイバ収納部３１内に位置決めしたまま保持する必要がなくなり、スクリーンパネル２０の製作作業効率を向上し得る。
【００４６】
次に図７に、光ファイバ位置決め保持要素３０の第２の変形例を示す。
図７中、光ファイバ位置決め保持要素３０Ｂの凸状光ファイバ保持部４３は、下面４３ａを有し、光ファイバ収納部３１の両端部に設けられる。この光ファイバ保持部４３は、下面４３ａが光ファイバ収納部３１の上方から覆うように延在しており、要素３０Ｂの前後面より前方及び後方へ何ら突出していない。なお、光ファイバ保持部４３は、光ファイバ収納部３１の両端部に設けるに限らず、例えば、片端部のみに設けられたり、又は略中央部に設けられてもよい。光ファイバ４０は、光ファイバ収納部３１に収納されることにより位置決めされるとともに、光ファイバ収納部３１の側壁及び光ファイバ保持部４３の下面４３ａにより保持され、光ファイバ４０の遊動が防止される。
【００４７】
他方、図７に示す如く、一の光ファイバ位置決め保持要素３０Ｂに対して上方から積層する他の光ファイバ位置決め保持要素３０Ｂは、下方要素３０Ｂの光ファイバ保持部４３に係合する凹部４４を有する。上方要素３０Ｂが、下方要素３０Ｂに対して積層する場合には、光ファイバ保持部４３が凹部４４に係合して、両要素３０Ｂが互いに位置ズレを生じないよう位置決めされる。これによれば、光ファイバ保持部４３が要素３０Ｂの前後面より突出していないので、組み付け後の突出部切除作業が不要である。
【００４８】
続いて、光ファイバ位置決め保持要素３０を積層してスクリーンパネル２０を形成する方法について説明する。
図２に示す如く、光ファイバ位置決め保持要素３０が複数段積層されることによりスクリーンパネル２０を形成する。要素３０は、その積層の各段においてスクリーンパネル２０の幅方向に複数個が連続かつ隣接して配設される。
【００４９】
ここで、図５に示す如く、複数段積層する光ファイバ位置決め保持要素３０の内、任意の光ファイバ位置決め保持要素３０−１乃至３０−６を取り出して考える。
【００５０】
要素３０−１乃至３０−６は夫々、一の段にある要素のボス穴３４（３４ａ〜３４ｄ）が、一の段に隣接する他の段のボス３７（３７ａ〜３７ｄ）に嵌合し、又夫々のねじ穴３５、３６（３５ａ〜３５ｆ、３６ａ〜３６ｆ）にねじ３８を螺合挿入されることにより、要素３０−１乃至３０−６は互いに位置決め保持される。なお、要素３０−１乃至３０−６どうしは、スクリーンパネル２０の強度を高めるために、接着剤により互いに固着される。この場合は、同一高さレベルの所定要素３０−３及び３０−４の光ファイバ収納部３１に夫々光ファイバ４０を位置決め保持した後、要素３０−３及び３０−４に接着剤を塗布しこの段に隣接する上方段の要素３０−６を積み重ねて接着剤が乾燥するまで要素３０−６を上から押し止めする。但し、要素３０−１乃至３０−６どうしの固着は、接着剤以外の他の手段でもよい。
【００５１】
同一高さレベルの光ファイバ位置決め保持要素３０−１及び３０−２は、上記所定段に隣接する下方段にあり、スクリーンパネル２０の幅方向に連続かつ隣接して配設される。ここで、上記下方から上方への下方段、所定段、上方段を夫々第１、第２、第３の段と呼ぶことにする。また、光ファイバ位置決め保持要素３０−１及び３０−２の隣接位置を第１の隣接位置３０Ｘと呼び、又第１の段の上方の第２の段には、要素３０−３及び３０−４が、スクリーンパネル２０の幅方向に連続かつ隣接して配設される。その隣接位置を第２の隣接位置３０Ｙと呼ぶことにする。そうすると、第２の段の上方の第３の段の要素３０−５及び３０−６は、上記隣接位置３０Ｘを垂直方向に延長した同一隣接位置３０Ｘとなる。なお、本実施例においては、要素３０−１乃至３０−６は、互いに当接しているが、互いに当接せず、隣接する要素間に空隙が設けられてもよい。
【００５２】
第１の隣接位置３０Ｘは、第２の段の要素３０−３の中央に位置する。又、第２の隣接位置３０Ｙは、第１及び第３の段の要素３０−２及び３０−６の中央に位置する。なお、各隣接位置は、隣り合う段の光ファイバ位置決め保持要素の中央に位置せずとも、その隣り合う段の光ファイバ位置決め保持要素の隣接位置とスクリーンパネル２０の幅方向に食い違っていればよい。
【００５３】
すなわち、スクリーンパネル２０において、任意の段の前記光ファイバ位置決め保持要素どうしの隣接位置と、これに隣り合う段の前記光ファイバ位置決め保持要素の隣接位置とがスクリーンパネルの幅方向に食い違っている。
【００５４】
このように光ファイバ位置決め保持要素３０を積層させてスクリーンパネル２０を形成すると、図５に示す如く、第２の段にある光ファイバ位置決め保持要素３０−３、３０−４は、第１、第３の段に夫々ある光ファイバ位置決め保持要素３０−２、３０−６により食い違い的に挟み込まれることにより垂直方向に拘束される。同様に他の段の要素３０も食い違い的に拘束される。結局、すべての段の各要素３０が隣接する段の要素３０により食い違い的に拘束されてその垂直方向位置が安定してずれることがなく、光ファイバ収納部３１の位置が安定する。これにより、スクリーンパネル２０において、映し出される映像がぶれることを有効に防止する。又、形成されたスクリーンパネル２０は、相当程度の強度を有する効果がある。更に、要素３０どうしは接着剤により固着させるが、接着剤が乾燥する際に要素３０に反りが生じる場合がある。しかし、隣の列の要素３０がその要素３０を拘束することにより、反り防止にも効果を発揮する。
【００５５】
所望寸法のスクリーンパネル２０を形成するには、要素３０の前記積層を所望寸法になるまで繰り返す（図２参照）。なお、図２に示す如く、スクリーンパネル２０の左右両端部に位置する要素３０は、その中央部において切断されたものが適宜使用され、スクリーンパネル２０の左右両辺が面一になっていることが好ましい。
【００５６】
このように光ファイバ位置決め保持要素３０を積層してスクリーンパネル２０を形成することにより、１枚のアクリル板等を使用して、異なる寸法、例えば、１００インチ、２００インチ、３００インチ…等のスクリーンパネル２０を製作する場合は、所望寸法に合わせて異なる大きさの複数種類のアクリル板を夫々切り出す必要があるのに対し、要素３０を食い違い的に積層して異なる寸法のスクリーンパネル２０を製作する場合は、１種類のみの光ファイバ位置決め保持要素３０を使用して、異なる寸法のスクリーンパネル２０を形成することが可能となり、スクリーンパネル２０の製作コストを低減し得る。
【００５７】
所望寸法のスクリーンパネル２０が得られたなら、スクリーンパネル２０の前面を研磨する。これは、スクリーンパネル２０の前面に複数の光ファイバ４０の端部が異なる長さで突出していた場合には、その突出端部における光の拡散度合いが異なって、スクリーンパネル２０上に映し出される映像にぶれが生じるからである。
【００５８】
図６に示す光ファイバ位置決め保持要素３０Ａの例では、少なくともスクリーンパネル２０の前面側から突出する光ファイバ保持部４１が上記研磨の際に除去される。
【００５９】
上記研磨済みのスクリーンパネル２０の前面には、光拡散シート（図示せず）が貼付されることが好ましい。スクリーンパネル２０前面の光ファイバ４０の端部から放射される光を拡散させ、スクリーンパネル２０の視野角を広げるためである。なお、光拡散シートは、光ファイバ４０の端部の位置以外は、黒色に塗りつぶしてあることが好ましい。外光が、スクリーンパネル２０前面に反射して、スクリーンパネル２０に映し出される映像が白く飛んでしまい看者にとって見ずらくなることを防止するためである。
【００６０】
次に、図８及び９を用いて、一のモジュールとしてのスクリーンパネル２０を複数個組み合わせて形成した大型スクリーンパネル２２について説明する。なお、この場合の一のモジュールとしてのスクリーンパネルをスクリーンパネル・モジュールと呼ぶ。
【００６１】
図８中、３００インチの大型光ファイバ型ディスプレイ装置２１は、１００インチの光ファイバ型ディスプレイ装置１０を、モジュール式に３列３段の合計９つ組み合わせたものである。
【００６２】
第１のディスプレイ装置１０Ａは、固定床９０の上に支持される。
第１のディスプレイ装置１０Ａの上方には、第２のディスプレイ装置１０Ｂが配設される。第２のディスプレイ装置１０Ｂは、そのフレーム５０が、第１のディスプレイ装置１０Ａのフレーム５０に積載されることにより位置決め支持される。
【００６３】
スクリーンパネル・モジュール２０を形成する光ファイバ位置決め保持要素３０において、その厚さｔ及び光ファイバ収納部３１の所定ピッチｐ１は等しい。したがって、第１のスクリーンパネル・モジュール２０Ａの上面と第２のスクリーンパネル・モジュール２０Ｂの下面とが当接していることにより、図９に示す如く、第１のスクリーンパネル・モジュール２０Ａの最も上部に位置する光ファイバ収納部３１と第２のスクリーンパネル・モジュール２０Ｂの最も下部に位置する光ファイバ収納部３１との距離は要素３０の厚さｔに等しいピッチとなり、その距離は光ファイバ収納部３１の幅方向ピッチｐ１と等しくなる。
【００６４】
第１のディスプレイ装置１０Ａの右方には、第３のディスプレイ装置１０Ｃが配設される。第３のディスプレイ装置１０Ｃは、固定床９０の上に位置決め支持される。ここで、第１のディスプレイ装置１０Ａのスクリーンパネル・モジュール２０Ａの右面と第３のディスプレイ装置１０Ｃのスクリーンパネル・モジュール２０Ｃの左面とは、第２のスクリーンパネル・モジュール２０Ｂと同様に、当接していることが好ましい。光ファイバ位置決め保持要素３０の幅方向端部に設けられた光ファイバ収納部３１と該要素３０の端面との距離ｐ２は、光ファイバ収納部３１の幅方向ピッチｐ１の２分の１である（図９参照）。したがって、斯かる当接により、第２のスクリーンパネル・モジュール２０Ｂと同様に、第１のスクリーンパネル・モジュール２０Ａの最も右部に位置する光ファイバ収納部３１と第３のスクリーンパネル・モジュール２０Ｃの最も左部に位置する光ファイバ収納部３１との距離は所定ピッチｐ１と等しい。なお、第１のスクリーンパネル・モジュール２０Ａの右面と第３のスクリーンパネル・モジュール２０Ｃの左面とは当接していなくともよいが、その場合には、第１のスクリーンパネル・モジュール２０Ａの最も右部に位置する光ファイバ収納部３１Ａ（図９参照）と第３のスクリーンパネル・モジュール２０Ｃの最も左部に位置する光ファイバ収納部３１Ｂとの距離が光ファイバ収納部３１の幅方向ピッチｐ１と等しくなるように、前記距離ｐ２が調整されることが好ましい。
【００６５】
図８に示す如く、大型光ファイバ型ディスプレイ装置２１を構成する各光ファイバ型ディスプレイ装置１０のプロジェクタ７０（図示せず）には、予め９分割された映像が投射され、光ファイバ４０を経由してスクリーンパネル２２にその全体映像を映し出す。
【００６６】
【本発明の効果】
本発明の光ファイバ型ディスプレイ装置の画像表示用スクリーンパネルであって、所定の光ファイバ位置決め保持要素を複数段積層して形成される前記スクリーンパネルによれば、前記光ファイバ位置決め保持要素は前記積層の各段においてスクリーンパネルの幅方向に複数個が連続かつ隣接して配設され、任意の段の前記光ファイバ位置決め保持要素どうしの隣接位置と、これに隣り合う段の前記光ファイバ位置決め保持要素の隣接位置とがスクリーンパネルの幅方向に食い違っているため次の利点を有する。
【００６７】
▲１▼一の段にある要素は、一の段に上下方向に隣り合う他の段に夫々ある要素により挟み込まれることにより複数の要素が食い違い的に配設されて互いに拘束される。
【００６８】
そうすると、一の段において隣接して配設された要素夫々の光ファイバ収納部の垂直方向位置が等しくなり、スクリーンパネルにおいて、映し出される映像がぶれることを有効に防止する。
【００６９】
又、形成されたスクリーンパネルは、相当程度の強度を有する効果がある。
更に、要素どうしを固着させるための接着剤が乾燥する際に生じる要素に反りを防止する効果がある。
【００７０】
他方、従来の１枚の板状部材を使用してスクリーンパネルを製作する場合と比較して、部品コストが安く、又スクリーンパネルに収納された光ファイバの配列確認が少ない人手で可能であるため、スクリーンパネルの製造コストを低減し得る。
【００７１】
▲２▼前記要素は、光ファイバの位置決め及び保持用の複数の光ファイバ収納部と、該光ファイバ収納部に保持された光ファイバを保持する少なくとも１つの光ファイバ保持部とを具備する。
【００７２】
したがって、光ファイバ保持部により光ファイバの遊動が防止するため、光ファイバ型ディスプレイ装置の製作工程において要素を順次積層する際に、例えば作業員の手により光ファイバを光ファイバ収納部内に位置決めしたまま保持する必要がなくなり、スクリーンパネルの製作作業効率を向上し得る。
【００７３】
▲３▼前記光ファイバ収納部は、前記要素の上面及び下面の少なくとも一方に設けられた溝であり、該溝内に前記光ファイバが保持される。
したがって、光ファイバ収納部が前記溝である場合は、光ファイバ収納部が貫通孔である場合と比較して、該溝と光ファイバとの間に接着剤を塗布することが容易であり、スクリーンパネルの製作作業効率が向上され得る。
【００７４】
更に、光ファイバ収納部が貫通孔である場合は、光ファイバを貫通孔に挿入する際に貫通孔と光ファイバとの間に十分に接着剤を塗布できないため、光ファイバが貫通孔から抜ける場合があるが、光ファイバ収納部が前記溝である場合は、該溝と光ファイバとの間に十分接着剤を塗布することが可能であり、接着不十分により光ファイバが該溝から抜けることがないため、スクリーンパネルの製作作業効率が向上され得る。
【００７５】
▲４▼前記スクリーンパネル前面側の前記光ファイバ保持部は、その前面から前方へ突出しており、複数段の要素の組み付け後に、該光ファイバ保持部の突出した部分が切除される。
【００７６】
したがって、要素の形状は複雑ではなく、その成形は比較的容易であり、要素の製造コストを低減し得る。
▲５▼前記要素は、その上部に第１の係合部を有するとともに、その下部に第２の係合部を有し、前記要素が複数段積層した場合に、前記第１の係合部と、前記第２の係合部とが順次係合する。
【００７７】
したがって、前記隣接位置の食い違いを生じさせるための要素の位置決めが、容易にできる。
▲６▼前記光ファイバ保持部は、前記第１の係合部又は前記第２の係合部である。
【００７８】
したがって、要素の係合部数を少なくすることが可能であり、その形状が比較的単純化できるため、要素の製造コストを低減し得る。
▲７▼前記要素は、射出成形により形成される。
【００７９】
したがって、要素の製造コストを低減し得る。
▲８▼複数のスクリーンパネル・モジュールが高さ方向及び幅方向へ隣接して配設された場合に、その高さ方向又は幅方向の隣接面をまたがる光ファイバ収納部の距離が夫々、高さ方向又は幅方向の所定ピッチに略等しい。
【００８０】
したがって、スクリーンパネル・モジュールを組み付けて更に大型のスクリーンパネルを製作しても、スクリーンパネルの接合部分においてスクリーンパネルに映し出される画像がぶれることがない。そうすると、既存のスクリーンパネルを使用して、更に大型のスクリーンパネルを製作することが可能となり、更に大型のスクリーンパネルの製作コストを低減し得る。
【００８１】
▲９▼スクリーンパネル・モジュールにおいて左辺又は右辺に最も近い光ファイバ収納部は、該辺に対して幅方向の所定ピッチの略２分の１だけ離間した位置に配設される。
【００８２】
したがって、１種類の前記要素によりスクリーンパネル・モジュールを製作することが可能となるため、スクリーンパネル・モジュールの製作コストを低減し得る。
【図面の簡単な説明】
【図１】従来技術の光ファイバ型ディスプレイ装置の画像表示用スクリーンパネルの斜視図である。
【図２】本発明の光ファイバ型ディスプレイ装置の画像表示用スクリーンパネルの一実施例の斜視図である。
【図３】本発明の光ファイバ位置決め保持要素の第１の実施例の斜視図である。
【図４】本発明の光ファイバ位置決め保持要素の第１の実施例の側面図である。
【図５】本発明の光ファイバ位置決め保持要素の第１の実施例を積層状態を示すための斜視図である。
【図６】本発明の光ファイバ位置決め保持要素の第２の実施例の斜視図である。
【図７】本発明の光ファイバ位置決め保持要素の第３の実施例の斜視図である。
【図８】本発明のスクリーンパネルをモジュール式に組み合わせて製作した大型のスクリーンパネルの一実施例である。
【図９】図８中、Ｇ部の拡大図である。
【符号の説明】
１…従来の光ファイバ型ディスプレイ装置
２…従来のスクリーンパネル
３…従来の光ファイバ位置決め保持要素
４…光ファイバ
６…光ファイバ集束部
７…プロジェクタ
１０…本発明の光ファイバ型ディスプレイ装置
２０…本発明のスクリーンパネル
３０…本発明の光ファイバ位置決め保持要素
３１…光ファイバ収納部
４０…光ファイバ
５０…フレーム
５１…パネル保持部材
６０…光ファイバ集束部
７０…プロジェクタ
２１…光ファイバ型ディスプレイ装置をモジュール式に組み合わせた光ファイバ型ディスプレイ装置
２２…スクリーンパネルをモジュール式に組み合わせたスクリーンパネル
【図１】
2004013052.tif 000003
【図２】
2004013052.tif 000004
【図３】
2004013052.tif 000005
【図４】
2004013052.tif 000006
【図５】
2004013052.tif 000007
【図６】
2004013052.tif 000008
【図７】
2004013052.tif 000009
【図８】
2004013052.tif 000010
【図９】
2004013052.tif 000011